(57)【特許請求の範囲】
【請求項１】
各色毎に設けられた複数の版胴及びブランケット胴のそれぞれに駆動ギヤを具備し、この版胴駆動ギヤとブランケット胴駆動ギヤとが噛合わされて前記版胴及びブランケット胴を回転させ、枚葉紙に多色印刷を行なう多色刷枚葉印刷機に用いられ、前記枚葉紙に対する各色の印刷位置の調整を行なう見当調整装置において、
前記版胴の軸心方向に前記版胴駆動ギヤを往復移動自在に形成し、前記版胴駆動ギヤをその回転位置に応じた所定量だけ往復移動させる移動手段を設け、この移動手段を用いて前記版胴に対する前記版胴駆動ギヤの軸心方向の相対距離を変えることにより前記枚葉紙の伸縮量に対応するように印刷位置の見当を調整することを特徴とし、前記移動手段は、前記版胴駆動ギヤに固定されて設けられた溝カムと、この溝カムに係合するカムフォロアと、このカムフォロアに設けられた移動レバーとを有し、この移動レバーを駆動することによって前記カムフォロアと前記溝カムとを介して前記版胴駆動ギヤを往復移動させることを特徴とする多色刷枚葉印刷機の見当調整装置。
【請求項２】
前記版胴駆動ギヤの往復移動は、前記版胴の１回転を１周期として行われることを特徴とする請求項１に記載の多色刷枚葉印刷機の見当調整装置。
【請求項３】
前記移動レバーの駆動は、前記移動レバーを回転位置に応じて所定量駆動させる駆動制御手段と、この駆動制御手段による駆動量を微調整する調整入力手段とによって行われることを特徴とする請求項１に記載の多色刷枚葉印刷機の見当調整装置。
【請求項４】
前記版胴駆動ギヤの往復移動は、ロッドが直線運動する電動機を用いて前記移動レバーを駆動することによって行われることを特徴とする請求項１ないし請求項３のいずれかに記載の多色刷枚葉印刷機の見当調整装置。
【請求項５】
前記版胴駆動ギヤの往復移動による見当調整量が一箇所の前記版胴に対して決定されることによって他の版胴にも連動されることを特徴とする請求項１ないし請求項４のいずれかに記載の多色刷枚葉印刷機の見当調整装置。
【請求項６】
各色毎に設けられた複数の版胴及びブランケット胴のそれぞれに駆動ギヤを具備し、この版胴駆動ギヤとブランケット胴駆動ギヤとが噛合わされて前記版胴及びブランケット胴を回転させ、枚葉紙に多色印刷を行なう多色刷枚葉印刷機で、前記枚葉紙に対する各色の印刷位置の調整を行なう見当調整方法において、
前記版胴の軸心方向に前記版胴駆動ギヤをその回転位置に応じた所定量だけ移動手段を用いて往復移動させ、この往復移動によって前記版胴に対する前記版胴駆動ギヤの軸心方向の相対距離を変えて印刷位置の見当を調整することを特徴とし、前記移動手段は、前記版胴駆動ギヤに固定されて設けられた溝カムと、この溝カムに係合するカムフォロアと、このカムフォロアに設けられた移動レバーとを有し、この移動レバーを駆動することによって前記カムフォロアと前記溝カムとを介して前記版胴駆動ギヤを往復移動させることを特徴とする多色刷枚葉印刷機の見当調整方法。
【請求項７】
前記版胴駆動ギヤの往復移動を、前記版胴の１回転を１周期として行われるようにすることを特徴とする請求項６に記載の多色刷枚葉印刷機の見当調整方法。
【発明の詳細な説明】
【技術分野】
【０００１】
本発明は、多色刷枚葉印刷機の見当調整装置及びその見当調整方法に関し、特に印刷用紙の紙伸びに対する見当合わせを行なう見当調整装置及びその見当調整方法に関する。
【背景技術】
【０００２】
紙には製造上の理由から目と呼ばれる方向性がある。縦目で枚葉紙を印刷する場合には紙伸びが発生する。紙伸びの原因には、印圧及びオフセット印刷での水の使用による吸湿などが考えられる。紙伸びは、紙質、紙厚により、その伸び量が異なる。紙伸びが生じて見当がずれると、印刷物に色ずれなどが発生する原因となる。また、作業環境などによっては紙の縮みが発生する場合もある。
多色印刷では、各色毎に見当マークを刷版に設けて、これを基準に各色で印刷位置が一致するよう見当調整を行なっている。しかし、紙伸びに対する見当調整の作業は時間がかかり、面倒である。
【０００３】
多色刷枚葉印刷機の見当調整装置の従来の例として、例えば、各印刷色ごとに単独の駆動モータを用いた例が示されている（特許文献１参照。）。この例では、版胴及びブランケット胴のそれぞれにはすば歯車を固定し、版胴のはすば歯車に駆動モータに取り付けたはすば歯車を噛み合せている。この版胴のはすば歯車と駆動モータのはすば歯車の噛合によって、版胴に固定したはすば歯車を版胴とともに胴軸方向に移動させて天地方向の見当合わせを行い、幅方向の見当も別途調整している。
また、多色刷印刷で印刷速度を変更させると、それにつられて用紙の位相ずれが発生するという問題を解決するため、印刷速度を変更するたびに最適な見当精度になるように自動的に用紙位相を補正する制御を行なう例も示されている（特許文献２参照。）。
【特許文献１】特開平１１−２５４６５４号公報
【特許文献２】特開２００１−２０５７８７号公報
【発明の開示】
【発明が解決しようとする課題】
【０００４】
しかしながら、上述の特許文献１に示された例では、各印刷色ごとに駆動モータを設けなければならないという点、版胴はすば歯車と版胴とが同時に移動するため、天地方向の見当合わせを行なうと必ず幅方向の見当合わせも行なわねばならない点に問題があり、装置や制御が複雑になるという欠点がある。また、特許文献２に示された例は、低速で見当合わせをした後、速度補正をしているが、このような手法は従来から行なわれてきたものであり、補正をしても実際の印刷速度での正確な見当合わせとは言い切れないという問題を有している。
本発明は、比較的簡単な方法でこのような問題を解決して、紙の天地方向の見当調整を、実際の印刷動作中に比較的容易に且つ短時間で実現することができる多色刷枚葉印刷機の見当調整装置及び見当調整方法の実現を課題とする。
【課題を解決するための手段】
【０００５】
上記課題を解決するため本発明の請求項1に記載の発明は、各色毎に設けられた複数の版胴及びブランケット胴のそれぞれに駆動ギヤを具備し、この版胴駆動ギヤとブランケット胴駆動ギヤとが噛合わされて前記版胴及びブランケット胴を回転させ、枚葉紙に多色印刷を行なう多色刷枚葉印刷機に用いられ、前記枚葉紙に対する各色の印刷位置の調整を行なう見当調整装置において、前記版胴の軸心方向に前記版胴駆動ギヤを往復移動自在に形成し、前記版胴駆動ギヤをその回転位置に応じた所定量だけ往復移動させる移動手段を設け、この移動手段を用いて前記版胴に対する前記版胴駆動ギヤの軸心方向の相対距離を変えることにより前記枚葉紙の伸縮量に対応するように印刷位置の見当を調整することを特徴とし、前記版胴駆動ギヤの往復移動には、前記版胴駆動ギヤに固定されて設けられた溝カムと、この溝カムに係合するカムフォロアと、このカムフォロアに設けられた移動レバーとを用い、この移動レバーを駆動することによって前記カムフォロアと前記溝カムとを介して行うことを特徴とする。
【０００６】
上記課題を解決するため、本発明の請求項２に記載の発明は、請求項１に記載の多色刷枚葉印刷機の見当調整装置において、前記版胴駆動ギヤの往復移動は、前記版胴の１回転を１周期として行われることを特徴とする。
【０００８】
上記課題を解決するため、本発明の請求項３に記載の発明は、請求項１に記載の多色刷枚葉印刷機の見当調整装置において、前記移動レバーの駆動は、前記移動レバーを回転位置に応じて所定量駆動させる駆動制御手段と、この駆動制御手段による駆動量を微調整する調整入力手段とによって行われることを特徴とする。
【０００９】
上記課題を解決するため、本発明の請求項４に記載の発明は、請求項１ないし請求項３のいずれかに記載の多色刷枚葉印刷機の見当調整装置において、前記版胴駆動ギヤの往復移動は、ロッドが直線運動する電動機を用いて前記移動レバーを駆動することによって行われることを特徴とする。
【００１０】
上記課題を解決するため、本発明の請求項５に記載の発明は、請求項１ないし請求項４のいずれかに記載の多色刷枚葉印刷機の見当調整装置において、前記版胴駆動ギヤの往復移動による見当調整量が一箇所の前記版胴に対して決定されることによって他の版胴にも連動されることを特徴とする。
【００１１】
上記課題を解決するため、本発明の請求項６に記載の発明は、各色毎に設けられた複数の版胴及びブランケット胴のそれぞれに駆動ギヤを具備し、この版胴駆動ギヤとブランケット胴駆動ギヤとが噛合わされて前記版胴及びブランケット胴を回転させ、枚葉紙に多色印刷を行なう多色刷枚葉印刷機で、前記枚葉紙に対する各色の印刷位置の調整を行なう見当調整方法において、前記版胴の軸心方向に前記版胴駆動ギヤをその回転位置に応じた所定量だけ往復移動させ、この往復移動によって前記版胴に対する前記版胴駆動ギヤの軸心方向の相対距離を変えて印刷位置の見当を調整することを特徴とし、前記版胴駆動ギヤの往復移動には、前記版胴駆動ギヤに固定されて設けられた溝カムと、この溝カムに係合するカムフォロアと、このカムフォロアに設けられた移動レバーとを用い、この移動レバーを駆動することによって前記カムフォロアと前記溝カムとを介して行うことを特徴とする。
【００１２】
上記課題を解決するため、本発明の請求項７に記載の発明は、請求項６に記載の多色刷枚葉印刷機の見当調整方法において、前記版胴駆動ギヤの往復移動を、前記版胴の１回転を１周期として行われるようにすることを特徴とする。
【発明の効果】
【００１３】
本発明は、以上のように構成したので、版胴駆動ギヤを軸心方向に移動して版胴に対する相対距離を変えることで見当調整を可能にし、具体的には移動手段により、実際の印刷動作中に、短時間に容易に見当調整を行なうことができる見当調整装置及び見当調整方法を実現できるという効果が生まれる。
【発明を実施するための最良の形態】
【００１４】
以下、本発明を図面に沿って詳細に説明する。
図１は、本発明が用いられる枚葉印刷機の版胴及びブランケット胴の駆動ギヤ側の部分と本発明の見当調整装置の一実施の形態とを示す構成図である。
図１において、符号１は版胴、符号２はブランケット胴、符号３、符号４及び符号５は軸受、符号６は本体フレーム、符号７は版胴駆動ギヤ、符号８は固定機構、符号９は補助フレーム、符号１０はピン、符号１１はブランケット胴駆動ギヤ、符号１２はボルト、符号１３はピン、符号２０は溝カム、符号２１はカムフォロア、符号２２はステー、符号２３は支点、符号２４はレバー、符号２５は調整入力手段、符号２６は駆動制御手段である。ここで、溝カム２０、カムフォロア２１、ステー２２、支点２３、レバー２４及び図示しない電動モータが請求項1に示す移動手段を形成し、この移動手段と駆動制御手段２６と調整入力手段２５などから本実施の形態の見当調整装置が構成されている。
【００１５】
図１に示すように、版胴１は軸受３、ブランケット胴２は二重の軸受４及び５を介して本体フレーム６に支持されている。
版胴１の駆動ギヤ７は、版胴軸の先端部１ａに設けられている。版胴１の軸心Ａ方向に対する固定機構８は周知の構造を有しており、ここでは詳細を省略してある。補助フレーム９は本体フレーム６にピン１０で取り付けられて、固定機構８の先端部８ａを受けている。
【００１６】
ブランケット胴２の駆動ギヤ１１は、ブランケット胴２の先端部２ａに、ボルト１２、ピン１３などによって取り付けられて固定されている。軸受４及び５は、版胴１に対する着脱及び印圧調整のために、偏心軸受けとなっているが、公知のものであるのでここでは詳細の説明は省略する。
【００１７】
本発明においては、版胴駆動ギヤ７とブランケット胴駆動ギヤ１１とは、同期回転するように噛み合わされており、版胴駆動ギヤ７はその軸心Ａ方向に移動自在に取り付けられており、ブランケット胴駆動ギヤ１１に対して所定の範囲Ｂ内で移動自在に形成されている。版胴駆動ギヤ７が移動することによって紙伸びに対する見当を調整している。
【００１８】
版胴駆動ギヤ７の円周に沿って溝カム２０が一体的に設けられていて、この溝カム２０内にカムフォロア２１が挿入されている。溝カム２０の溝形状は、版胴駆動ギヤ７とほぼ平行に形成されている。カムフォロア２１には、補助フレーム９に固定されたステー２２の支点２３を中心にして、図での左右方向Ｃに揺動自在のレバー２４が設けられている。
このレバー２４を左右方向Ｃに揺動することによって、支点２３で支持された先端部がカムフォロア２１を介して溝カム２０を移動し、これによって溝カム２０が固定された版胴駆動ギヤ７が移動する。版胴駆動ギヤ７の移動量に対応するレバー２４の揺動量は、電動モータやベルクランクなどを用いた駆動制御手段２６で所定量を維持するように駆動制御されるが、公知の技術を用いて構成されているので、ここでは詳しい説明を省略した。さらにこの駆動制御手段２６による見当調整量を微調する調整入力手段２５が設けられている。この調整入力手段２５は、前記版胴駆動ギヤ７の移動量を入力調整するもので、後述する枚葉紙の伸縮に対応した数値を入力するように構成されている。この揺動量を用いて、一ヶ所の版胴に対する見当調整に他の色の版胴の見当調整を連動して同時に調整することもできる。この場合、各色における紙伸びは異なるが、基準色に対する他色の紙伸び量を予め設定するように制御するものである。
【００１９】
以上の例は、版胴駆動ギヤ７に溝カム２０を一体的に設けた例であるが、溝カムを補助フレーム９に設けるとともに、カムフォロアを版胴駆動ギヤに固定し、そのギヤを溝カムに挿入するように構成することもできる。この場合、版胴駆動ギヤを溝カムに押し付けるように押ばねを版胴駆動ギヤと版胴軸との間に設ける。
【００２０】
図２には、本実施の形態での枚葉紙Ｐの印刷方向Ｘと紙目方向Ｙ、紙伸び方向Ｚ及びその伸び量すなわち見当調整量ａ及び見当合わせマーク３１、３２の位置関係などを示している。この例では、印刷方向Ｘは紙目方向Ｙと直交する方向であり、紙伸びａにより咥え尻側の見当合わせマーク３２が３２ｂまで移動している。
【００２１】
図３にはブランケット胴駆動ギヤ１１に対する版胴駆動ギヤ７の移動状態と見当調整量ａの関係を示す。図３では、版胴駆動ギヤ７が位置７から位置７ｂまで移動量ｂだけ移動した場合の、ブランケット胴駆動ギヤ１１の円周方向での紙伸び量ａに対応する見当調整量ａが版胴駆動ギヤ７の傾斜ｃから図式的に求められている。言い換えれば、紙伸び量ａに対応する見当調整を行なうためには、版胴駆動ギヤ７を移動量ｂだけ移動すればよいことになる。
【００２２】
本発明では、このような版胴駆動ギヤ７の移動は、版胴１の１回転に応じて、駆動制御手段２６によって当初位置から最大ｂだけ往復移動してその後当初位置に戻るようになっている。これによって、枚葉紙Ｐの紙伸び量ａに対応した見当調整が枚葉紙ごとに、即ち、版胴１の１回転ごとに繰り返し実現される。
見当調整作業は、この駆動制御手段２６による往復駆動運動を印刷機の印刷中に調整入力手段２５によって微調整することで実行される。
【００２３】
また、図示は省略したが、他の実施例として、版胴駆動ギヤをその軸心方向に往復移動自在に形成する。そして、移動手段は種々考えられるが、一例では、従来の版胴を含む移動機構を改良したものとして、版胴と同軸上に設けた版胴駆動ギヤと別体の、駆動ギヤに噛み合う駆動モータ付きギヤを、その駆動モータで回動して、版胴駆動ギヤを往復移動させるように構成することもできる。この場合、その移動モータを制御して、版胴駆動ギヤを版胴の１回転に付き１往復移動させるもので、構成が容易になる効果がある。
さらに、移動手段として、ロッドが直線運動する電動機、例えばステッピングモータ、直動モータなどを使用して、この電動機により版胴駆動ギヤを直接往復移動させるように構成することもできる。この場合、版胴駆動ギヤの移動量調整がさらに容易になるものである。
【００２４】
本発明の見当調整装置は、以上のように構成されているので、図４に示す種類の両面多色刷枚葉印刷機にも図５に示す種類の片面多色刷枚葉印刷機にも用いることができる。
図４及び図５において、符号５１ａ〜５１ｄは版胴、符号５２ａ〜５２ｄはブランケット胴、符号５３ａ〜５３ｄは圧胴、符号５４ａ〜５４ｃは中間胴、符号５５は給紙部、符号５６は給紙テーブル、符号５７はスイング機構、符号５８は渡し胴、符号５９はデリバリ胴、符号６０はチェーングリッパ、符号６１は排紙部、符号６２は排紙台である。これらの印刷機は周知のものであるのでここでは詳しい説明はしない。
【００２５】
以上、本発明の見当調整装置について述べたが、この見当調整装置で実行される見当調整の方法も、本発明の対象とするものである。
【産業上の利用可能性】
【００２６】
本発明は以上のように構成したので、多色刷枚葉印刷機の紙伸びなどが原因で生じる紙の天地方向の見当ずれを、実際の印刷動作中に比較的容易に且つ短時間で数値設定などで実現することができる。したがって、本発明は、多色刷枚葉印刷機を用いる印刷業界や印刷機の製造業界で広く利用することが可能である。
【図面の簡単な説明】
【００２７】
【図１】本発明が用いられる枚葉印刷機の版胴及びブランケット胴の駆動ギヤ側の部分と本発明の見当調整装置の一実施の形態とを示す構成図である。
【図２】枚葉紙の印刷方向と紙目方向、紙伸び方向及び見当合わせマークの位置関係などを示す説明図である。
【図３】ブランケット胴駆動ギヤに対する版胴駆動ギヤの移動状態と見当調整量の関係を示す説明図である。
【図４】本発明が用いられる両面多色刷枚葉印刷機の構成図である。
【図５】本発明が用いられる片面多色刷枚葉印刷機の構成図である。
【符号の説明】
【００２８】
１    版胴
２    ブランケット胴
３、４、５    軸受
６    本体フレーム
７    版胴駆動ギヤ
８    固定機構
９    補助フレーム
１０、１３  ピン
１１  ブランケット胴駆動ギヤ
１２  ボルト
２０  溝カム
２１  カムフォロア
２２  ステー
２３  支点
２４  レバー
２５  調整入力手段
２６  駆動制御手段
３１、３２  見当合わせマーク
５１ａ〜５１ｄ  版胴
５２ａ〜５２ｄ  ブランケット胴
５３ａ〜５３ｄ  圧胴
５４ａ〜５４ｃ  中間胴
５５  給紙部
５６  給紙テーブル
５７  スイング機構
５８  渡し胴
５９  デリバリ胴
６０  チェーングリッパ
６１  排紙部
６２  排紙台
ａ    紙伸び量（見当調整量）
ｂ    版胴駆動ギヤ移動量
ｃ    版胴駆動ギヤの傾斜
Ａ    軸心
Ｂ    版胴駆動ギヤの移動範囲
Ｃ    レバーの揺動方向
Ｐ    枚葉紙
Ｘ    印刷方向
Ｙ    紙目方向
Ｚ    紙伸び方向
【図１】
0004734114.tif 000002
【図２】
0004734114.tif 000003
【図３】
0004734114.tif 000004
【図４】
0004734114.tif 000005
【図５】
0004734114.tif 000006